(57)【要約】      （修正有）【課題】電気を使用せず、構造が簡単であり、携帯や保存などが便利であり、部品交換可能な足マッサージ棒を提供する。【解決手段】足マッサージ棒は、踏み棒１、位置決め板２、および踏み板３を備える。踏み棒１は、短手方向の断面の形状が三角形であり、頂端部を有し、長手方向の両端の表面にねじ孔１３が形成される。位置決め板２は、踏み棒１の長手方向の両端の表面と同じ面積および形状を有し、踏み棒１のねじ孔１３と対応するねじ孔２１を有し、短手方向の両側から長手方向の内側に直角に伸びる挟み耳２２を有する。踏み板３は、短手方向の断面が逆Ｕ字状であり、頂端部１１とは反対側の頂端面には複数の円錐形按摩突起３、尖錐形按摩突起３１、または長リブを有し、踏み棒１と位置決め板の挟み耳２２との間に形成される溝の中にさしこまれる側壁３０を有する。【選択図】図１
0003177656.tif 000002
【実用新案登録請求の範囲】
【請求項１】
短手方向の断面の形状が三角形であり、頂端部を有し、長手方向の両端の表面に第１ねじ孔が形成される踏み棒と、
前記踏み棒の長手方向の両端の表面と同じ面積および形状を有し、前記踏み棒の前記第１ねじ孔と対応する第２ねじ孔を有し、ねじを前記第１ねじ孔および前記第２ねじ孔にねじこむことにより固定され、短手方向の両側から長手方向の内側に直角に伸びる挟み耳を有する位置決め板と、
短手方向の断面が逆Ｕ字状であり、前記踏み棒の前記頂端部を覆い、前記頂端部とは反対側の頂端面には複数の按摩突起を有し、前記踏み棒と前記位置決め板の前記挟み耳との間に形成される溝の中にさしこまれる側壁を有する複数の踏み板と、
を備えることを特徴とする足マッサージ棒、
【請求項２】
前記踏み板の前記按摩突起は尖錐形であることを特徴とする請求項１記載の足マッサージ棒。
【請求項３】
前記踏み板の前記按摩突起は円錐形であることを特徴とする請求項１記載の足マッサージ棒。
【請求項４】
前記踏み板の前記按摩突起は棒状の長リブであることを特徴とする請求項１記載の足マッサージ棒。
【請求項５】
前記踏み棒の前記踏み板とは反対側の長手方向の両側に粘着片が設けられ、前記粘着片は織り布に貼付可能であることを特徴とする請求項１記載の足マッサージ棒。
【考案の詳細な説明】
【技術分野】
【０００１】
本考案は、電気を使用しない足マッサージ棒に関する。
【背景技術】
【０００２】
古代の医学書籍の記載、および、現代医学の研究報告によると、人体の足の裏の反射区は五臓六腑の血管と極めて密切な関連がある。それで、足の裏の反射区に対して有効な指圧を与えたり、按摩したりして刺激すれば、各器官や血液の循環が活発かつ順調になる。よって、新陳代謝を促進し、免疫力を高めることができる。すると、色々な病気を予防し、緊張や疲労を解消することができる。
【０００３】
従来、指で足の裏の反射区をマッサージするか、マッサージ棒を使って足の裏の反射区を按摩することで足の裏を按摩する。しかしながら、これらの方法は、按摩する人が疲労し易くなり、力が不足になると按摩効果が低減する。
一方、歩道上に突出された小石を利用して足の裏の反射区をマッサージすることができる。しかしながら、表面の小石の高さが均一でないので、踏んだ時の位置が安定せず、又、人体の重量で圧力を施すと、足の裏の筋膜が炎症を起こしたり、靭帯が傷害を受けたりする。また、小石はある一定の場所に設置されるため、使用する時にはその場所に行かなければならないため、不便がある。
【０００４】
小石が突出された歩道と類似する大きい按摩板があるが、比較的大きい空間を取る外、重量が大きい欠点がある。よって、携帯や保存が不便である。また、小石が突出された歩道と同じ様に足の裏の筋膜炎や靭帯傷害を引き起すことができる。
【０００５】
足の裏マッサージの効果を増加し、足の傷害を防止するために色々の電気式の突起振動などによる、足マッサージ器もある。しかし、体積が大きく、折り畳みにくいため、携帯や保存などが不便である。また、電源のない場所では使用できない欠点があり、使用する時は座って使用しなければならないので、身体の体重を利用できず、マッサージする時の力が足りなくなる。結果、按摩の効果が低減する。特許文献１に記載の按摩装置は、電源が必要しないが携帯や保存などが不便である。
【先行技術文献】
【特許文献】
【０００６】
【特許文献１】特開２００７−２７５４２０号明細書
【考案の概要】
【考案が解決しようとする課題】
【０００７】
本考案は、上述の従来の各種の足マッサージ用具の欠点に鑑みてなされたものであり、電気を使用せず、構造が簡単であり、携帯や保存などが便利であり、部品交換可能な足マッサージ棒を提供することを目的とする。
【課題を解決するための手段】
【０００８】
本考案による足マッサージ棒は、踏み棒、位置決め板、および踏み板を備える。
踏み棒は、短手方向の断面の形状が三角形であり、頂端部を有し、長手方向の両端の表面に第１ねじ孔が形成される。
位置決め板は、踏み棒の長手方向の両端の表面と同じ面積および形状を有し、踏み棒の第１ねじ孔と対応するする第２ねじ孔を有し、ねじを第１ねじ孔および第２ねじ孔にねじこむことにより固定され、短手方向の両側から長手方向の内側に直角に伸びる挟み耳を有する。
【０００９】
踏み板は、短手方向の断面が逆Ｕ字状であり、踏み棒の頂端部を覆い、頂端部とは反対側の頂端面には複数の按摩突起を有し、踏み棒と位置決め板の挟み耳との間に形成される溝の中にさしこまれる側壁を有する。
【考案の効果】
【００１０】
本考案の足マッサージ棒は、その構造が簡単であり、早く組み合せることができ、電気が必要せず、重量が軽くて、携帯および保存が便利である。
【図面の簡単な説明】
【００１１】
【図１】本考案の第一実施形態による足マッサージ棒の分解斜視図である。
【図２】本考案の第一実施形態の尖錐形按摩突起の側面図である。
【図３】本考案の第一実施形態の円錐形按摩突起の側面図である。
【図４】本考案の第一実施形態の長リブの斜視図である。
【図５】本考案の第一実施形態による足マッサージ棒の踏み棒と位置決め板との間に形成される溝を示す断面図である。
【図６】本考案の第一実施形態の粘着片を示す斜視図である。
【考案を実施するための形態】
【００１２】
（一実施形態）  
本考案の一実施形態による足マッサージ棒は図１が示すように、踏み棒１と二つの位置決め板２と複数の取り換えられる踏み棒３とで構成される。
【００１３】
踏み棒１は断面が三角形で頂端部１１を有し、所定長さを有する。踏み棒１の両端表面１２は、二つのねじ孔１３を有する。ねじ孔１３は、特許請求の範囲における「第１ねじ穴」に対応する。
【００１４】
位置決め板２は、踏み棒１の両端表面１２と同じ形状と面積を有し、踏み棒１の両端表面１２の二つのねじ孔１３と対応する二つのねじ孔２１を有する。ねじ孔２１は、特許請求の範囲における「第２ねじ穴」に対応する。位置決め板２の左右両側には、形の挟み耳２２が直角に内側に伸びている。
【００１５】
踏み板３は、逆Ｕ字形に形成され底辺が開かれ、踏み棒１の頂端部１１の上を覆う。踏み板３の頂端面には複数の尖錐形按摩突起３１または円錐形按摩突起３２が設置される。また尖錐形按摩突起３１および円錐形按摩突起３２は異なるサイズで作られる。これで、異なる刺激で足の裏を刺激することができる。尖錐形按摩突起３１および円錐形按摩突起３２の代わりに図４に示す一本の小さい長リブ３３にしてもよい。
【００１６】
踏み棒１と二つの位置決め板２と踏み板３を組み合わせて足の裏マッサージ棒にする時は、二つの位置決め板２の二つのねじ孔２１を踏み棒１の両末端表面１２の二つのねじ孔１３に対応させ、二つのねじ４で位置決め板２を踏み棒１の両末端表面に固定する。図５はその状態を示す。位置決め板２の二挟み耳２２と踏み棒１の両側面との間には、狭い溝５が形成される。これで、挟み板３が踏み棒１の上を覆う時、踏み板３の両側壁３０が二つの溝５の中にさし挟まれ、定位された状態になる。これで本考案の足マッサージ棒は組み合せられる。足マッサージ棒を地板の上に置けば、使用者が足マッサージ棒の上に立ったまま、足マッサージ棒により足の裏をマッサージすることができる。
【００１７】
本考案の足マッサージ棒を地板の上に更に安定して置く場合には、図６に示すように、踏み棒１の両末端の底面に粘着片６を設ける。これで、織り布７の上に足の裏マッサージ棒を置けば、足マッサージ棒が滑ることを抑制し、使用上の安定性を高めることができる。また、この織り布７で足マッサージ棒を巻き包むことができ、携帯および保存が便利となる。
【符号の説明】
【００１８】
１・・・踏み棒  、          
２・・・位置決め板  、  
３・・・円錐形按摩突起、
４・・・ねじ、
５・・・溝、
６・・・粘着片、
７・・・織り布、
１１・・・頂端部、
１２・・・末端表面、    
１３・・・ねじ孔（第１ねじ穴）、    
２１・・・ねじ孔（第２ねじ穴）、
２２・・・挟み耳、
３０・・・側壁、
３１・・・尖錐形按摩突起、
３３・・・長リブ。      
【図１】
0003177656.tif 000003
【図２】
0003177656.tif 000004
【図３】
0003177656.tif 000005
【図４】
0003177656.tif 000006
【図５】
0003177656.tif 000007
【図６】
0003177656.tif 000008